(57)【要約】【課題】国際規格にも適合する、従来にない安全ベスト部を折りたたみ、コンパクトに収納できる収納ポケット付き安全ベストを提供することを目的とする。【解決手段】本考案は、課題を解決するために、反射塗料のラインを備えるチョッキ型の安全ベストにおいて、後身頃上部の襟部内側に、安全ベストを折りたんで収納する収納ポケットの上辺を縫製して縫着したことを特徴とする収納ポケット付き安全ベストの構成とした。また、収納ポケットは、大収納部、小収納部の二つの収納部があり、上方に開口し、小収納部には面ファスナーが対向する面に備えられる。大収納部には折りたたまれた安全ベスト部が収納され、小収納部には任意の小物を収納することができる。【選択図】図１
0003186670.tif 000002
【実用新案登録請求の範囲】
【請求項１】
反射塗料のラインを備えるチョッキ型の安全ベストにおいて、
後身頃上部の襟部内側に、安全ベストを折りたんで収納する収納ポケットの上辺を縫製して縫着したことを特徴とする収納ポケット付き安全ベスト。
【考案の詳細な説明】
【技術分野】
【０００１】
本考案は、安全ベスト部を折りたたみ、コンパクトに収納できる収納ポケットを備える収納ポケット付き安全ベストに関する。
【背景技術】
【０００２】
収納ポケット付安全ベストとして、非特許文献１が公開されている。しかしながら、収納ポケットは、反射塗料部に掛かるように縫製されており、十分に機能を発揮しない。また、国際規格ＩＳＯ２４０７１の規格に適合しない。
【先行技術文献】
【非特許文献】
【０００３】
【非特許文献１】特許庁意匠課公知資料番号第ＨＨ１８４６７４００号大韓民国意匠商標公報２００６年９月２１日０６−４７号安全服（登録番号３０−０４２５５４５類似２）の意匠
【考案の概要】
【考案が解決しようとする課題】
【０００４】
そこで、本考案は、国際規格にも適合する従来にない安全ベスト部を折りたたみ、コンパクトに収納できる収納ポケット付き安全ベストを提供することを目的とする。
【課題を解決するための手段】
【０００５】
上記の課題を解決するために、本考案は、反射塗料のラインを備えるチョッキ型の安全ベストにおいて、後身頃上部の襟部内側に、安全ベストを折りたんで収納する収納ポケットの上辺（開口部上方）を縫製して縫着したことを特徴とする収納ポケット付き安全ベストの構成とした。
【考案の効果】
【０００６】
本考案は、上記構成であるので、反射塗料部にポケットが掛かることがないので、従来にない、国際規格を満たす、収納ポケット付き安全ベストを提供することができる。
【図面の簡単な説明】
【０００７】
【図１】本考案である収納ポケット付き安全ベストの正面の写真である。
【図２】本考案である収納ポケット付き安全ベストの背面の写真である。
【図３】本考案である収納ポケット付き安全ベストの左側面の写真である。
【図４】本考案である収納ポケット付き安全ベストの右側面の写真である。
【図５】本考案である収納ポケット付き安全ベストの平面の写真である。
【図６】本考案である収納ポケット付き安全ベストの底面の写真である。
【図７】図１において、左右前身頃の一部を正面側に開いたときの写真である。
【図８】図１において、左前身頃を一部開いたときの写真である。
【図９】図１において、収納ポケットを上方に折り返し、収納ポケットの背面を写した写真である。
【図１０】左右前身頃の一部を正面側に開き、収納ポケットの開口部を写した斜視写真である。
【図１１】図１０の収納ポケット部の拡大写真である。
【図１２】（Ａ）は図２において、収納ポケットを上方に折り返し、収納ポケットの正面を写した写真である。
【図１３】安全ベストを収納ポケットに収納する方法の説明写真である。（Ｂ）は左脇腹を覆う部分を背面側に一部折り返したときの写真である。
【図１４】安全ベストを収納ポケットに収納する方法の説明写真である。（Ｃ）安全ベスト部の左側（左側折返し部）を収納ポケットの端位置でさらに背面側に折り返したときの写真である。
【図１５】安全ベストを収納ポケットに収納する方法の説明写真である。（Ｄ）は安全ベスト部の右側（右側折返し部）を収納ポケットの他の端位置で背面側に折り返したときの写真で、（Ｅ）は収納ポケットの端を超えて折り返された安全ベスト部の右脇腹を覆う部分（折返し部）を背面側に折り返して、安全ベスト部を収納ポケットの左右の幅に合わせたときの写真である。
【図１６】安全ベストを収納ポケットに収納する方法の説明写真である。（Ｆ）は安全ベスト部の略３等分の位置で下側を背面に折り返したときの写真で、（Ｇ）は（Ｆ）からさらに同一方向に折り返したときの写真で、折りたたまれた安全ベスト部は、平面視において、収納ポケットとほぼ同じ面積なったときの写真で、（Ｈ）は安全ベスト部を収納ポケットの２つある開口部（図１０、１１参照）の面ファスナーを備えない大収納部に収納したときの正面図である。
【図１７】本考案である収納ポケット付き安全ベストを着用しているときの正面写真である。
【考案を実施するための形態】
【０００８】
以下、本考案である収納ポケット付き安全ベストについて、図面を参照しながら詳細に説明する。
【実施例１】
【０００９】
本考案である収納ポケット付き安全ベストは、図１−１７に示すように、腹部に相当する位置に２本の反射塗料のラインを備えるチョッキ型の安全ベストであって、後身頃上部の襟部内側に、安全ベストを折りたんで収納する収納ポケットの上辺を縫製して縫着してなる。
【００１０】
図７に示すように、左前身頃の内側に上下方向にメンファスナーが、図８に示すように、右前身頃の外側にも上下方向に面ファスナーが設けられ、着用者の正面で重なり、着脱できる。
【００１１】
収納ポケットは、図１１に示すように、大収納部、小収納部の二つの収納部があり、上方に開口し、小収納部には面ファスナーが対向する面に備えられている。
【００１２】
大収納部には折りたたまれた安全ベスト部が収納され、小収納部には任意の小物を収納することができる。
【００１３】
図１２〜図１６に示すように、本考案である収納ポケット付き安全ベストは、（Ａ）→（Ｈ）の順で、安全ベスト部を折りたたみ、収納ポケットにコンパクトに収納することができる。なお、安全ベスト部は、ここの示す例、以外の他の折りたたみ方式で折りたたみ、収納ポケットに収納することもできる。
【図１】
0003186670.tif 000003
【図２】
0003186670.tif 000004
【図３】
0003186670.tif 000005
【図４】
0003186670.tif 000006
【図５】
0003186670.tif 000007
【図６】
0003186670.tif 000008
【図７】
0003186670.tif 000009
【図８】
0003186670.tif 000010
【図９】
0003186670.tif 000011
【図１０】
0003186670.tif 000012
【図１１】
0003186670.tif 000013
【図１２】
0003186670.tif 000014
【図１３】
0003186670.tif 000015
【図１４】
0003186670.tif 000016
【図１５】
0003186670.tif 000017
【図１６】
0003186670.tif 000018
【図１７】
0003186670.tif 000019